(57)【特許請求の範囲】
【請求項１】
機器等を収納し得る収納部とその前面側に使用領域を有する天板とを具備するものにおいて、
前記天板上に配置した対象物を観察するための観察器具を保持する保持手段を、前記収納部の一部に設けていることを特徴とする実験用家具。
【請求項２】
保持手段を、収納部の前面側に設けていることを特徴とする請求項２記載の実験用家具。
【請求項３】
収納部が、対向配置される一対の側枠体を具備するものであって、少なくとも一方の側枠体の前面に保持手段を設けていることを特徴とする請求項３記載の実験用家具。
【請求項４】
保持手段が、観察器具を直接的に保持する保持部と、収納部に取り付けられて前記保持部を支持する支持部とを具備していることを特徴とする請求項１、２又は３記載の実験用家具。
【請求項５】
支持部が、ポールと、収納部に取り付けられポールを支持する取付具とを具備するものであり、保持部が、前記ポールと略直交して延びるアームを具備するものであって、このアームを接続具を介してポールに支持させていることを特徴とする請求項４記載の実験用家具。
【請求項６】
接続具を、位置調節可能にポールに取り付けていることを特徴とする請求項５記載の実験用家具。
【請求項７】
接続具が、ポールの長手方向に沿ってスライド移動可能且つポールの軸心を中心に回転可能であることを特徴とする請求項６記載の実験用家具。
【請求項８】
ポールの両端部をそれぞれ取付具によって支持させて、ポールの一端部を支持する取付具を収納部に固定して設けるとともに接続具の前記一端部側へのスライド移動を規制するものとし、ポールの他端部を支持する取付具を収納部に着脱可能に取り付けられるものとして、ポールの他端部側において、前記取付具を取り付けた状態で接続具の前記他端部側へのスライド移動を規制し取り外した状態でポールの他端部を開放するようにしていることを特徴とする請求項７記載の実験用家具。
【請求項９】
取付具が、収納部に固定して設けられポールの下端部を支持するとともに接続具の下方へのスライド移動を規制する下取付具と、収納部に着脱可能に取り付けられポールの上端部を支持する上取付具とからなり、上取付具を取り付けた状態で接続具の上方へのスライド移動を規制し取り外した状態でポールの上端部を開放するようにしていることを特徴とする請求項８記載の実験用家具。
【請求項１０】
上取付具が、一部を切り欠いて開放してポールを挿入し得る弾性変形可能な挿入部及びこの挿入部の前記切り欠いて開放された開放端から一体的に突出する一対の突出片とからなるブラケットと、収納部の所定位置に設けた突起とを具備し、挿入部にポールの上端部を挿入した状態で、両突出片の間に突起を挟んで締め付けることによって、上取付具を収納部に取り付けるようにしていることを特徴とする請求項９記載の実験用家具。
【請求項１１】
アームを、ポールの軸心と直交する方向にスライド移動可能且つアームの軸心を中心に回転可能に接続具に取り付けていることを特徴とする請求項５、６、７、８、９又は１０記載の実験用家具。
【請求項１２】
アームの先端部に、その軸心と直交する方向に延びる接続部を形成しているとともに、保持部が、前記接続部の軸心を中心に回転可能に設けられ観察器具を保持するホルダを具備していることを特徴とする請求項４、５、６、７、８、９、１０又は１１記載の実験用家具。
【請求項１３】
観察装置が顕微鏡であることを特徴とする請求項１、２、３、４、５、６、７、８、９、１０、１１又は１２記載の実験用家具。
【発明の詳細な説明】
【０００１】
【発明の属する技術分野】
本発明は、実験用家具において顕微鏡等の観察器具を天板上に配置しないで保持することができる観察器具の保持手段に関するものである。
【０００２】
【従来の技術】
実験用家具の天板上に配置した対象物を顕微鏡等の観察器具を用いて観察する場合、従来より、重量の重い卓上スタンドを重りとして天板上に配置しこの卓上スタンドに顕微鏡等を支持させるようにしたものや、天板に直接的に取り付けたクランプ装置等に顕微鏡等を支持させるようにしたものが知られている。
【０００３】
【発明が解決しようとする課題】
ところが、このようなものは、天板上に卓上スタンド等を設置しなければならないため、天板の使用領域が狭められ天板を有効に活用することが難しいという問題がある。また、観察器具を使用しない場合や実験用家具の機器収納部から収納物を取り出す場合には、観察器具が邪魔になり、その都度重い卓上スタンド等ごと観察器具を移動しなければならないため、その作業が極めて面倒である。
【０００４】
【課題を解決するための手段】
本発明は、以上のような問題に鑑みて、観察器具を保持する保持手段を天板の使用領域を侵すことなく、機器等の収納部に設けることによって、天板を広く有効に使用することができる観察器具の保持手段を備えた実験用家具を構成するものである。
【０００５】
【発明の実施の形態】
すなわち、本発明の実験用家具は、機器等を収納し得る収納部とその前面側に使用領域を有する天板とを具備するものにおいて、前記天板上に配置した対象物を観察するための観察器具を保持する保持手段を、前記収納部の一部に設けていることを特徴とする。
【０００６】
このようなものであれば、観察器具を収納部に保持手段を介して保持させることによって、天板上に観察器具やそれを支持するスタンド等を直接配置する必要をなくすことができるので、天板の使用領域を最大限有効に活用できることとなる。また、それに伴って、観察器具を使用しない場合等にその都度重量の重い卓上スタンドを移動するという面倒な手間を省くこともできるので、天板上での作業効率を向上し快適な作業空間を得ることも可能となる。さらに、観察器具そのものが重量の重いものであっても、それを収納部に支持させることで、従来の重い卓上スタンドと同様に安定した観察器具の保持が可能となる。
【０００７】
このような構成のものにおいて、観察器具の使用の便を有効に向上するためには、保持手段を、収納部の前面側に設けていることが望ましい。特に、収納部が、対向配置される一対の側枠体を具備するものであれば、少なくとも一方の側枠体の前面に保持手段を設けていることが好ましい。
保持手段の具体的な構成としては、観察器具を直接的に保持する保持部と、収納部に取り付けられて保持部を支持する支持部とを具備するものが挙げられる。この場合、観察器具を簡素な構成で安定的に保持できるものとしては、支持部が、ポールと、収納部に取り付けられポールを支持する取付具とを具備するものであり、保持部が、前記ポールと略直交して延びるアームを具備するものであって、このアームを接続具を介してポールに支持させているものが挙げられる。
【０００８】
対象物に対する観察器具の例えば高さ方向等の大まかな位置調節を容易なものとするためには、接続具を、位置調節可能にポールに取り付けていることが望ましい。さらにその位置調節をより簡単な構成で行うとともに、その調節した位置に対して直交する方向における観察器具の位置決めも容易なものとするためには、接続具が、ポールの長手方向に沿ってスライド移動可能且つポールの軸心を中心に回転可能であることが好ましい。
【０００９】
さらに、ポールを安定的に取り付けるとともに、接続具がポールに沿ってスライド移動しても容易にポールから抜け出さず且つ必要に応じて接続具をポールから取り外せるようにするためには、ポールの両端部をそれぞれ取付具によって支持させて、ポールの一端部を支持する取付具を収納部に固定して設けるとともに接続具の前記一端部側へのスライド移動を規制するものとし、ポールの他端部を支持する取付具を収納部に着脱可能に取り付けられるものとして、ポールの他端部側において、前記取付具を取り付けた状態で接続具の前記他端部側へのスライド移動を規制し取り外した状態でポールの他端部を開放するようにしていることが望ましい。具体的には、取付具を、収納部に固定して設けられポールの下端部を支持するとともに接続具の下方へのスライド移動を規制する下取付具と、収納部に着脱可能に取り付けられポールの上端部を支持する上取付具とからなり、上取付具を取り付けた状態で接続具の上方へのスライド移動を規制し取り外した状態でポールの上端部を開放するようにしているものが挙げられる。この場合、容易に着脱でき確実にポールと係り合わせられる上取付具の好ましい構成としては、上取付具を、一部を切り欠いて開放してポールを挿入し得る弾性変形可能な挿入部及びこの挿入部の前記切り欠いて開放された開放端から一体的に突出する一対の突出片とからなるブラケットと、収納部の所定位置に設けた突起とを具備し、挿入部にポールの上端部を挿入した状態で、両突出片の間に突起を挟んで締め付けることによって、上取付具を収納部に取り付けるようにしているものが挙げられる。
【００１０】
また、観察器具の左右方向の位置決めを容易なものとしたり観察者の観察姿勢を楽なものとするためには、アームを、ポールの軸心と直交する方向にスライド移動可能且つアームの軸心を中心に回転可能に接続具に取り付けていることが好ましい。
さらに、観察器具の配置位置の微調節を観察者の手元で容易に行い得るようにするためには、アームの先端部に、その軸心と直交する方向に延びる接続部を形成しているとともに、保持部が、前記接続部の軸心を中心に回転可能に設けられ観察器具を保持するホルダを具備していることが有効となる。
【００１１】
以上のような構成の実験用家具に適用される好ましい観察装置の具体例としては、顕微鏡が挙げられる。
【００１２】
【実施例】
以下、本発明の一実施例を、図面を参照して説明する。
図１に示すこの実施例は、測定機器２９等を収納した収納部２とその前面側に使用領域３１を設定した天板３とを具備する実験用家具１で、天板３上に配置したステージ８上のＩＣ基盤やＬＳＩ基盤等９を対象物として観察・検査するための観察器具たる顕微鏡Ｂを保持する保持手段Ａを収納部２に設けたものである。
【００１３】
収納部２は、主として、所定距離離して床上に対向配置される略矩形の一対の側枠体２１と、両側枠体２１の上端部間に配置される略矩形の天枠体２２と、両側枠体２１の後端部間に配置される背枠体２３とから構成されるもので、下端部の四隅にそれぞれアジャスタ２４を設けて床面に接地させている。また、側枠体２１の前端部間には後述する天板３の高さ位置よりも若干低い位置に横桟２５を取り付けており、側枠体２１間の距離を略三等分する位置において天枠体２２の前端部と横桟２５とを連結する２つの前縦桟２６を取り付けている。さらに、背枠体２３の上端部と下端部との間に前縦桟２６に対応する後縦桟２７を取り付け、前後に対応する前縦桟２６と後縦桟２７の上端部同士の間に奥行方向に延びる上桟（図示せず）をそれぞれ取り付けている。なお、本実施例では天枠体２２に複数の頂板２２ａを取り付けて収納部２の上端部を閉じているが、側枠体２１に側板や開閉可能な扉を取り付けたり、背枠体２３に背板を取り付けるなどしてもよい。しかして、このような構成の収納部２の横桟２５よりも上方において、側枠体２１と前後の縦桟２６、２７によって仕切られた３つの空間に、前後方向に出し入れ可能に移動し得る可動フレーム２８をそれぞれ配置して、各可動フレーム２８内に複数の測定機器２９を積み重ねて取り付けている。なお、各測定機器２９の前面には、図示しないスイッチや各種端子等が設けられている。また、本実施例では前記３つの空間に全て測定機器２９を配置するようにしているが、測定機器２９を配置しない場合にはその代わりに棚等を設けてもよい。
【００１４】
天板３は、前記収納部２の中間高さ位置において収納部２の前面側に使用領域３１を設定したもので、収納部２の巾寸法と略等しい巾寸法を有している。この天板３は、前記側枠体２１の前面２１ａ側に配置され床上に対向配置される一対の板状の脚体３２によって、収納部２とは独立して支持されている。そして、前記可動フレーム２８を収納部２から前方に引き出した際に、可動フレーム２８が下端部に設けたキャスタ２８ａによって天板３上を走行し得るようにしている。なお、本実施例では、以上のような構成の他に天板３と略等しい高さ寸法を有し独立して移動可能な補助天板４２や、前記可動フレーム２８の下方の空間に収容され床上を走行自在なワゴン４１、収納部２に取り付けたタスクライト（図示せず）等を付帯させることができる。
【００１５】
顕微鏡Ｂは、上端部Ｂａに一対の接眼レンズを備え下端部Ｂｂに対物レンズを備えた通常のものであるので説明を省略する。
しかして、この顕微鏡Ｂを保持する保持手段Ａは、収納部２の前面側に設けたもので、顕微鏡Ｂを保持する保持部６と、保持部６を支持して収納部２に取り付けられる支持部５と、保持部６と支持部５とを接続する接続具７とからなる。
【００１６】
図１〜図３に示すように、まず、支持部５は、両側枠体２１の前面２１ａ及び前縦桟２６の前面２６ａの合計４箇所に取り付けられたものであり、それぞれ、上下方向に延び天板３の使用領域３１と側枠体２１の上端部との間の距離の中間的な長さ寸法を有する円柱状のポール５１と、このポール５１の上端部５１ａ及び下端部５１ｂをそれぞれ支持する上取付具５２及び下取付具５５とからなる。以下、図示例に基づいて右側に配置される側枠体２１に取り付けた支持部５について説明する。下取付具５５は、ポール５１の下端部５１ｂを挿入して収容し得る有底筒状のポール収容部５６と、側枠体２１の前面２１ａに前方へ突出するように固定して設けられ先端部にポール収容部５６を一体に取り付けた板状の突起部５７とから構成したものである。一方、上取付具５２は、前記下取付具５５の上方において下取付具５５と同様に側枠体２１の前面２１ａに前方へ突出するように固定して設けた板状の突起５３と、ポール５１の上端部５１ａと係り合って突起５３に着脱可能に取り付けられるブラケット５４とからなるものである。このブラケット５４は、ポール５１の直径と略等しい内径寸法を有し一部を上下に亘って切り欠いて開放する弾性変形可能な概略円筒状の挿入部５４ａと、挿入部５４ａの両開放端５４ａ１から挿入部５４ａの外側に向けて突出する一対の板状の突出片５４ｂとからなる。なお、前記突起５３と突出片５４ｂには、それぞれ対応するネジ挿入孔５３ａ、５４ｃを設けている。しかして、ブラケット５４を、挿入部５４ａにポール５１の上端部５１ａを挿入して側枠体２１に取り付けた突起５３に対応する位置まで降ろし、両突出片５４ｂの間に突起５３を挟んで一方の突出片５４ｂの側からネジ５８をネジ挿入孔５３ａ、５４ｃに挿入し、挿入部５４ａを弾性変形させながらこのネジ５８を締め付けることで挿入部５４ａがポール５１と係り合い、ポール５１の上端部５１ａを支持し得ることになる。
【００１７】
接続具７は、図１〜図４に示すように、前記ポール５１を挿入し得るように略鉛直方向に貫通する第１貫通孔７１と、この第１貫通孔７１の前方において略水平方向に貫通する第２貫通孔７２とを設けたもので、前記支持部５においてブラケット５４を突起５３に取り付けるよりも先に、ポール５１を第１貫通孔７１に挿入させて下方にスライド移動し、ポール５１の軸心５１ｎを中心に水平回転し得るように取り付けている。なお、接続具７には、第１貫通孔７１に直交するネジ孔７３と、このネジ孔７３にネジ作用で係り合うネジ軸７５ａを具備するノブ７５を設けており、このノブ７５を回転操作することでネジ軸７５ａの先端をポール５１に突き当てることによって、ポール５１に対して接続具７を任意の高さ位置で固定できるようにしている。すなわち、この接続具７をポール５１に取り付けた状態で、ブラケット５４をポール５１に係り合わせて突起５３に取り付けると、接続具７の上下方向のスライド移動可能な範囲は、下取付具５５の上端からブラケット５４の下端までの間に規制されることとなる。
【００１８】
一方、保持部６は、図１〜図４に示すように、前記接続具７の第２貫通孔７２に挿入して支持される概略円柱状のアーム６１と、このアーム６１の一方の先端部６１ａに取り付けられ顕微鏡Ｂを保持するホルダ６３とから構成されるものである。アーム６１は、前記第２貫通孔７２に案内されてポール５１の軸心５１ｎと直交する水平方向にスライド移動可能であり、またアーム６１自身の軸心６１ｎを中心に回転可能に接続具７に取り付けており、このアーム６１を水平方向にスライド移動した所望の位置で固定するために、接続具７に前記ネジ孔７３及びノブ７５と同様の構成のネジ孔７４及びネジ軸７６ａを具備するノブ７６を設けている。さらに、アーム６１は先端部６１ａに、その軸心６１ｎと直交する方向に延びる円柱状の接続部６２を形成している。これに対してホルダ６３は、基端部の下向面に前記接続部６２を挿入し得る図示しない凹部を形成するとともに、先端部に顕微鏡Ｂの下端部Ｂｂを挿入させて保持するリング状の挿入孔６３ａを具備している。しかして、このホルダ６３を、凹部に接続部６２を挿入してアーム６１に取り付けることによって、接続部６２の軸心６２ｎを中心にアーム６１の軸心６１ｎと略平行して回転し得るようにしている。
【００１９】
なお、ここでは説明の便宜上、右側の側枠体２１の前面２１ａに取り付けた支持部５に保持部６を支持させた場合について示したが、顕微鏡Ｂの使用状況に応じて、左側の側枠体２１或いは前縦桟２６に設けた支持部５のいずれに保持部６を支持させても上記と同様に顕微鏡Ｂを保持することができる。
以上のような構成からなる本実施例の実験用家具１は、天板３上に配置した対象物たるＩＣ基盤９等を観察・検査するための観察器具たる顕微鏡Ｂを保持する保持手段Ａを、天板３にではなく天板３の使用領域３１の後方に位置づけられる収納部２に設けているので、顕微鏡Ｂを安定的に保持できるのみならず、天板３の使用領域３１に直接配置する物を減らして、天板３の使用領域３１を広く有効に活用することが可能である。また、顕微鏡Ｂを使用しない場合にも、従来のようにわざわざ重い卓上スタンド等を天板３上から移動させる手間も必要ないので、天板３上での作業効率を向上し快適な作業空間を得ることができる。
【００２０】
また、保持手段Ａを収納部２の前面側に設けているので、顕微鏡Ｂを取り扱いやすく、収納部２を有効に利用することもできる。特に本実施例では、収納部２を構成する一対の側枠体２１及び前縦桟２６の各前面２１ａ、２６ａにそれぞれ保持手段Ａを設けられるようにしているので、顕微鏡Ｂの使用状況に対応していずれか一つ又は複数の保持手段Ａを利用して顕微鏡Ｂを配置することができ、天板３上における観察位置の自由度が高い極めて有用なものとすることができる。さらに、収納部２に収納した測定機器２９を可動フレーム２８ごと出し入れする際にも、その可動フレーム２８の前方から顕微鏡Ｂを退避させるだけの簡単な作業で済ませることができる。
【００２１】
さらに、本実施例の保持手段Ａは、顕微鏡Ｂを保持する保持部６と、この保持部６を支持する支持部５とから構成されているため、保持部６と支持部５にそれぞれの役割を分担させて、構造の簡素化を図ることができる。
具体的には、支持部５は、上下方向に延びるポール５１と、このポール５１を支持し収納部２に取り付けられる上下の取付具５２、５５とからなるものであり、保持部６は、ポール５１と略直交して延びるアーム６１を具備するものであって、このアーム６１とポール５１とを接続具７を介して接続しているので、保持手段Ａの構成を極めて簡単化することができる。さらに、この接続具７は、円柱状のポール５１を接続具７に設けた第１貫通孔７１に挿入し、ポール５１に対して任意の高さ位置で固定できるようにしているので、顕微鏡Ｂの大まかな高さ調節を容易に行うことができる。さらに、このような構成によって接続具７が、ポール５１の長手方向に沿ってスライド移動可能且つポール５１の軸心５１ｎを中心に水平回転可能となるので、顕微鏡Ｂの大まかな高さ調節はもとより前後方向の位置決めをさらに簡単に行うことができる。
【００２２】
特に、ポール５１はその下端部５１ｂ及び上端部５１ａをそれぞれ収納部２に取り付けられる下取付具５５及び上取付具５２によって支持されている。その際、下取付具５５を収納部２に固定するとともに、上取付具５２を収納部２に対して着脱可能なものとしているので、接続具７のポール５１に対する着脱が容易であるばかりでなく、接続具７をポール５１に取り付けた状態で上取付具５２をポール５１と係り合わせて収納部２に取り付けると、接続具７のスライド移動可能な範囲を規制するとともに、接続具７のポール５１からの抜け出しを有効に防止することも可能である。さらに、この上取付具５２は、ポール５１を挿入できるとともに一部を切り欠いて開放した挿入部５４ａの開放端５４ａ１から一対の突出片５４ｂを突出させたブラケット５４と、収納部２の所定位置に設けた突起５３とから構成し、突出片５４ｂに突起５３を挟んだ状態でネジ止めして取り付けることにより挿入部５４ａを弾性変形可能させることで、ブラケット５４をポール５１に係り合わせるようにしているので、極めて簡単な構成でポール５１を収納部２に確実に支持させることができる。
【００２３】
また、保持部６のアーム６１は、ポール５１の軸心５１ｎと直交する略水平方向にスライド移動可能に接続具７に取り付けられており、その状態でアーム６１を自身の軸心６１ｎを中心に回転し得るようにしているので、顕微鏡Ｂの左右方向の位置決めを容易にすることができ、観察者の体格に合わせて観察姿勢を楽なものとすることもできる。
【００２４】
さらに、保持部６には、アーム６１の先端部６１ａに顕微鏡Ｂを保持するホルダ６３を設けており、そのホルダ６３をアーム６１の軸心６１ｎと略平行して回転し得るようにしているので、顕微鏡Ｂの配置位置の微調節を観察者の手元で容易に行うことも可能である。
また、上述したように本実施例では、観察器具として顕微鏡Ｂを適用しているので、従来のように重量の重い卓上スタンド等を天板３上に配置する必要をなくして、天板３の使用領域３１を広く確保することができるなど、対象物の観察に極めて有用なものである。
【００２５】
なお、上記実施例では、観察器具として顕微鏡を適用しているが、顕微鏡以外にもルーペ等種々の観察器具を適用しても有用なものである。また、１つのポールに対して複数の保持部を取り付け、各保持部にそれぞれ観察器具を保持させておいてもよい。さらに、ポールを略水平方向に延びるものとして収納部の前面側に取り付けるようにしてもよい。その場合の接続具やアームの構成や取り付けは、上記実施例に準じるものとすればよい。さらにまた、支持部や保持部としては、上記実施例に限らず様々な構成のものを適用してもよい。その他、各部の具体的構成も、上記実施例に限られず、本発明の趣旨を逸脱しない範囲で種々変形が可能である。
【００２６】
【発明の効果】
本発明は、以上説明したような形態で実施され、以下に記載されるような効果を奏する。
すなわち、本発明の実験用家具は、首脳部の前面側に配置される天板に載せた対象物を観察するための観察器具を保持する保持手段を、収納部の一部に設けているので、観察器具を安定的に保持することができるとともに、天板上に観察器具やそれを支持する卓上スタンド等を配置する必要をなくし、天板の使用領域を最大限有効に活用することが可能である。また、観察器具を使用しないとき等、観察器具を天板上に配置しておいては邪魔となる場合に、その都度重量の重い卓上スタンド等を移動させるという面倒な作業をなくすことができ、作業を簡略化し快適な作業空間を得ることができる。
【００２７】
また、保持手段を収納部の前面側に設けている場合には、観察器具の使用の便を有効に向上することができる。特に、収納部が一対の側枠体を具備している場合、少なくとも一方の側枠体の前面に保持手段を設けることによって、安定した観察器具の保持が可能であり、両方の側枠体に保持手段を設ければ、天板上における観察位置の自由度を高めることもできる。
【００２８】
このような保持手段を、観察器具を保持する保持部と、この保持部を支持する支持部とを具備するものとして、支持部を収納部に取り付るように構成すれば、観察器具の保持機能と収納部への取付機能とを分けて保持手段の簡素化を図ることができる。具体的には、支持部を、ポールと、このポールを支持し収納部に取り付けられる取付具とから構成するとともに、保持部を、ポールと略直交して延びるアームを具備するものとして、このアームとをポールとを接続具を介して接続している場合には、保持手段を極めて簡素な構成にすることができる。
【００２９】
また、この接続具を、ポールに対して位置調節可能に取り付けている場合には、例えばポールが上下に延びるものである場合には観察器具の大まかな高さ等の位置調節を容易に行うことができる。さらに、接続具が、ポールの長手方向に沿ってスライド移動可能なものであり、なおかつポールの軸心を中心に回転可能なものであれば、観察器具の例えば高さ等の大まかな位置調節とそれと直交する例えば前後方向における位置決めとをより簡単に行うことが可能である。
【００３０】
特に、接続具がポールに対してスライド移動するものである場合、ポールの両端部をそれぞれ取付具によって支持させて、収納部に固定した一方の取付具によっては接続具のポールの一端部側へのスライド移動を規制し、収納部に着脱可能に取り付けられる他方の取付具によっては、その取付具を取り付けた状態で接続具の他端部側へのスライド移動を規制するとともに取り外した状態でポールの他端部を開放するようにしている場合には、ポールを収納部に安定的に取り付けられるだけでなく、接続具のポールからの抜け出しを規制しつつ、必要に応じて接続具をポールから取り外すことが可能である。この場合、具体的には、取付具を、ポールの下端部及び上端部をそれぞれ支持して収納部に取り付けられる下取付具及び上取付具とからなるものとして、下取付具を収納部に固定して接続具の下方へのスライド移動を規制するようにするとともに、上取付具を収納部に着脱可能に取り付けられるようにし、この上取付具を取り付けると接続具の上方へのスライド移動を規制でき取り外すとポールの上端部を開放できるように構成すれば、上述した効果を有効に奏することができる。さらに、上取付具が、上取付具が、一部を切り欠いて開放してポールを挿入し得る弾性変形可能な挿入部及びこの挿入部の前記切り欠いて開放された開放端から一体的に突出する一対の突出片とからなるブラケットと、収納部の所定位置に設けた突起とから構成されるものとして、挿入部にポールの上端部を挿入するとともに両突出片の間に突起を挟んで締め付けることによって上取付具を収納部に取り付けるようにすれば、収納部に容易に着脱し得る上取付具をポールと簡単に係り合わせて、確実にポールを支持することができる。
【００３１】
また、保持部のアームを、ポールの軸心と直交する方向にスライド移動可能に接続具に取り付けるとともに、その取り付けた状態でアームを自身の軸心を中心に回転し得るようにしている場合には、観察器具の左右方向の位置決めを容易にすることができるとともに、観察姿勢を楽なものとすることも可能である。
さらに、アームの先端部に、その軸心と直交する方向に延びる接続部を形成しているとともに、保持部が、前記接続部の軸心を中心に回転可能に設けられ観察器具を保持するホルダを具備している場合には、観察器具の配置位置の微調節を観察者の手元で容易に行い得る極めて取り扱いやすいものとすることが可能である。
【００３２】
以上のような実験用家具に、観察器具として顕微鏡を適用する場合には、従来より使用されてきた重量の重い卓上スタンド等を天板上に配置する必要がないので、天板の使用領域を広く確保することができるなど、上記の効果を一層有効なものとすることができる。
【図面の簡単な説明】
【図１】本発明の一実施例を示す全体斜視図。
【図２】同実施例の要部を拡大して示す斜視図。
【図３】同分解斜視図。
【図４】同断面図。
【符号の説明】
１…実験用家具
２…収納部
３…天板
５…支持部
６…保持部
７…接続具
２１…側枠体
２１ａ…前面
３１…使用領域
５１…ポール
５１ｎ…軸心
５２…上取付具
５３…突起
５４…ブラケット
５４ａ…挿入部
５４ｂ…突出片
５５…下取付具
６１…アーム
６１ｎ…軸心
６３…ホルダ
【図１】
0003630047.tif 000002
【図２】
0003630047.tif 000003
【図３】
0003630047.tif 000004
【図４】
0003630047.tif 000005